(57)【要約】  バッテン、ジョイスト等（２００）を係合するための支持手段（１００）は、円形の回転可能なプレート（１１０）を含む。このプレートは、支持手段を架台ジャッキ等などの支持構造に、プレートの中心部（１１１）を貫通する垂直軸についての支持手段の回転が許容される様式で係合するための付属脚部（１１２）を有する。支持手段（１００）は、バッテン、ジョイスト等を収容するためのギャップを画定する２つの対向する直立壁（１２０、１２２）をさらに含む。壁は、軸の両側に配設されていると共に軸（１１１）に最も近い最中心位置から軸から最も離れている先端に延在している。壁は少なくとも部分的に凸状であり、ここで、所定の幅を有すると共に壁（１２０、１２２）の間に位置されているジョイストバッテン等に関しては、軸についての支持手段の回転が、一方向で壁（１２０、１２２）をジョイストの縁部に接触させる傾向とさせ、かつ、反対方向で壁（１２０、１２２）をジョイストの縁部から離れさせる傾向とさせるよう、壁への接線に垂直な方向に計測される壁間のギャップは、壁の最中心位置から壁の先端に向かって短くなっている。壁には、くぎ、ネジ等で壁をジョイストに締結するための孔（１２９）が形成されている。
2010518289.tif 000002
【特許請求の範囲】
【請求項１】
バッテン、ジョイスト等を係合するための支持手段であって、前記支持手段は、回転可能なプレートを含み、該支持手段を架台ジャッキ等などの支持構造に、ある軸についての支持手段の回転が許容される様式で係合するための手段をさらに備え、前記支持手段は、間に前記バッテン、ジョイスト等を収容するためのギャップを構成する２つの対向する直立壁をさらに含み、該直立壁は、前記軸の両側に配設されると共に前記軸に最も近い最中心位置から前記軸から最も離れている先端に延在しており、前記直立壁は少なくとも部分的に凸状部分を備え、ここで、所定の幅を有すると共に前記直立壁の間に位置されている前記バッテン、ジョイスト等に関しては、前記軸についての一方向への前記支持手段の回転が、前記直立壁を前記バッテン、ジョイスト等の縁部に接触させる傾向とさせ、かつ、反対方向の回転が前記バッテン、ジョイスト等の縁部から離れさせる傾向とさせるよう、前記直立壁への接線に垂直な方向に計測される前記直立壁間のギャップは、該直立壁の前記最中心位置から該直立壁の前記先端に向かって短くなっている支持手段。
【請求項２】
前記凸状部分が湾曲している請求項１に記載の支持手段。
【請求項３】
前記凸状部分が、段階状の湾曲部を構成するよう配置された一連の平面部を含む請求項１に記載の支持手段。
【請求項４】
前記凸状部分の半径が、該凸状部分の前記先端側で最大であると共に前記最中心位置側部分で最小である請求項１から２のいずれか一項に記載の支持手段。
【請求項５】
前記凸状部分の半径が連続的に変化する請求項４に記載の支持手段。
【請求項６】
前記凸状部分の半径が、非連続的に段階的に変化する請求項３に記載の支持手段。
【請求項７】
前記凸状部分が、くぎ、ネジ等などの締結具を受けるための貫通孔を備えている請求項１から６のいずれか一項に記載の支持手段。
【請求項８】
前記直立壁の各々が、前記凸状部分の前記最中心位置から該凸状部分とは反対方向に延在する直線部分を含み、前記直立壁の各々の前記直線部分は相互に平行である請求項１から７のいずれか一項に記載の支持手段。
【請求項９】
前記プレートが略円形である請求項１から８のいずれか一項に記載の支持手段。
【請求項１０】
前記支持手段には、該支持手段を支持体構造の最上部に係合させるための複数の付属脚部が形成されている請求項１から９のいずれか一項に記載の支持手段。
【請求項１１】
前記支持手段には、支持体構造の最上部に形成された、対応する形状の盲穴に係合されるための付属環状差口が形成された請求項１から９のいずれか一項に記載の支持手段。
【請求項１２】
添付の図面に示され、実質的に本出願明細書に既述の前記バッテン、ジョイスト等を係合するための支持手段。
【請求項１３】
複数の高くした架台ジャッキ等と、
前記架台ジャッキ等の上に配設された請求項１から１２のいずれか一項に記載の支持手段と、
前記支持手段に取り付けられると共にこれらの間に延在するバッテン、ジョイスト等
を含む上げ床。
【請求項１４】
概して一定の、所定の幅を有するバッテン、ジョイスト等または他の部材の側部を係合するための、２つの離間している直立壁が形成された回転可能なプレートを含むデバイスであって、ある相対的配向では、前記直立壁が前記バッテン、ジョイスト等または他の部材の側部に接触していない状態で該バッテン、ジョイスト等または他の部材が前記直立壁の間に位置するように配置され得ると共に、前記バッテン、ジョイスト等または他の部材に対する該デバイスの回転が前記直立壁を前記バッテン、ジョイスト等または他の部材の前記側部に接触させるデバイス。
【発明の詳細な説明】
【技術分野】
【０００１】
本発明は、改良型バッテン／ジョイスト支持体に関し、特に、しかし排他的ではなく、上げ床用のそれに関する。
【０００２】
ジョイストまたはバッテンを含むフレーム構造上に組み立てられるボードを含む床を、下地床上に持ち上げて提供することが知られており、これらのボードは締結部材によってジョイストに結合されている。典型的には、この下地床はコンクリートであろう。これらのボードは、度々、木材または木材ベースの複合材料で形成されるが、他の材料が用いられてもよい。ジョイストは、特に下地床が傾斜している場合には、高さ調節および勾配調節可能な架台支持体（架台ジャッキとも知られる）にしばしば取り付けられて、上げ床が確実に実質的に水平とされる。調節可能な架台ジャッキの例が国際特許出願ＰＣＴ／ＡＵ２００６／００１６１３号に示されている。
【０００３】
このような上げ床が架台ジャッキ上に取り付けられる場合、典型的には、このような架台支持体の頂部にジョイストを取り付けるためにマウンティング構成部品が提供される。このマウンティングは、典型的には、ジョイストの予想される幅に等しい距離で離間している、２つの対向する直立壁が形成されたプレートを含む。ジョイストは、典型的には、壁の孔を通ってジョイストへ延びるくぎによってマウンティングに固定されている。
【０００４】
しかしながら、このようなマウンティングの使用においては多数の問題がある。第１の問題は、マウンティングは、ジョイストの幅に適合するようなサイズとされていることである。従って、ジョイストの幅が過大である場合、このジョイストは、マウンティングの２つの壁の間にしっかりと嵌らなくなる。
【０００５】
第２に、ジョイストの幅がマウンティングの壁の間に画定されたギャップと適合する場合であっても、ジョイストはかなり長くなりがちであり、各々が自身の支持体を備える数多くの架台によって支持される。これらの支持体はジョイストを受けるために正確に位置合わせされなければならず、ジョイストを十分に合わせるためにこれらの支持体を位置合わせすることは非常に時間を費やす。
【０００６】
本明細書に包含される文献、行為、材料、デバイス、物品等における考察はいずれも、単に、本発明のためのコンテクストを提供する目的のためである。これらの事項のいずれかまたはすべてが、従来技術の基準の一部を構成すること、または、本出願の請求項の各々の優先日以前に存在していたかのように本発明に関連する分野において共通の一般知識であったことを承認するものと理解されるべきではない。
【先行技術文献】
【特許文献】
【０００７】
【特許文献１】国際特許出願ＰＣＴ／ＡＵ２００６／００１６１３号
【発明の概要】
【課題を解決するための手段】
【０００８】
広範な態様において、本発明は、概して一定の、所定の幅を有するジョイストバッテンまたは他の部材の側部を係合するための、２つの離間している直立壁が形成された回転可能なプレートを含むデバイスであって、壁が部材の側部に接触していない一の相対的配向で部材が壁の間に位置する状態で配置され得ると共に、部材に対するデバイスの回転が壁を部材の側部に接触させるデバイスを提供する。
【０００９】
本発明の一態様において、バッテン、ジョイスト等を係合するための支持手段であって、支持手段は、回転可能なプレートを含み、支持手段を架台ジャッキ等などの支持構造に、ある軸についての支持手段の回転が許容される様式で係合するための手段をさらに備え、支持手段は、それらの間にバッテン、ジョイスト等を受けるためのギャップを画定する２つの対向する直立壁をさらに含み、壁は、軸の両側に配設されると共に軸に最も近い最中心位置から軸から最も離れている先端に延在しており、壁は少なくとも部分的に凸状であり、ここで、所定の幅を有すると共に壁の間に位置されているジョイストバッテン等に関しては、軸についての一方向への支持手段の回転が、壁をジョイストの縁部に接触させる傾向とさせ、かつ、反対方向への回転でジョイストの縁部から離れさせる傾向とさせるよう、壁への接線に垂直な方向に計測される壁間のギャップは、壁の最中心位置から壁の先端に向かって短くなっている支持手段が提供されている。
【００１０】
凸状部分は湾曲していてもよい。あるいは、凸状部分は、段階状の湾曲部を形成するよう配置された一連の平面部を含んでいてもよい。
【００１１】
凸状部分の半径は、凸状部分の先端で最大であると共に最中心側部分で最小であってもよい。この半径は、連続的に変化しても、または、非連続的に段階的に変化してもよい。
【００１２】
凸状部分は、くぎ、ネジ等などの締結具を受けるための貫通孔を含んでいてもよい。
【００１３】
各壁は、反対側の凸状部分の最中心部分から凸状部分に延在する直線部分を含み、各壁の直線部分は相互に平行であることが好ましい。
【００１４】
典型的には、プレートは略円形である。
【００１５】
支持手段には、支持手段を架台ジャッキなどの支持体の最上部に係合させるための複数の脚部が形成されていてもよい。
【００１６】
関連する態様においては、本発明はまた、
複数の高くした架台ジャッキ等と、
架台ジャッキ上に配設された本発明の第１の態様を具体化する支持手段と、
支持手段に取り付けられると共にこれらの間に延在するジョイスト
を含む上げ床を提供してもよい。
【００１７】
本発明の特定の実施形態を、単に一例として、添付の図面を参照して説明することとする。
【図面の簡単な説明】
【００１８】
【図１】図１は、典型的な調節可能な架台ジャッキの分解組立図である。
【図２】図２は、図１の架台ジャッキと一緒に用いるための、本発明を実施するバッテン支持体の斜視図である。
【図３】図３は、図２に示されるバッテン支持体の正面図である。
【図４】図４は、図２に示されるバッテン支持体の平面図である。
【図５】図５は、図２に示されるバッテン支持体の下面図である。
【図６】図６は、その上にジョイストが置かれたバッテン支持体の上面図である。
【図７】図７は、支持体が回転されてジョイストが支持体の壁に対して係合された後の図６と同様の図である。
【図８】図８は、架台ジャッキとの係合用の付属差口の代替的なデザインを有するバッテン支持体の変形例の下方から見た等角図である。
【図９】図９は、変形例の付属差口を収容するための環状チャネルが形成された勾配補正器上方の図７の変形例の展開断面図である。
【発明を実施するための形態】
【００１９】
図面を参照すると、本発明に対する背後関係を提供するために、図１は、多数の構成部品を含む勾配調節部が組み込まれた高さ調節可能な架台１０を示す。図示されているとおり、高さ調節可能な架台は、使用に際してその上に架台が立設される、平面を画定する円形の平面状のベースプレート１４を有するベースエレメント１２と、このベースから上方に延びる環状円柱部分１６を含む。環状部分１６は、その内面（メス）にネジが切られて６段のめねじ１８が形成されている。ベース１２の上方に離間して、環状の断面を有すると共に内面および外面（オス）にネジが切られたコネクタ２０がある。外面のネジ部分はベース１６中に位置される。コネクタ２０の上方には、外面がネジ切りされて、コネクタ２０中に位置されるよう構成されている下方部分３２と、内面がネジ切りされている上方の大径部分３４を含む全体が環状の断面を有するエクステンダー３０が位置されている。ヘッド部分５０は、上方部分５２および付属外面ネジ円柱状部分５４を含む。勾配補正プレート６０がヘッド部分５０の上方部分の最上部に位置されている。
【００２０】
円形の断面を有すると共に付属する円形の壁を有する孔７０が、勾配補正プレート６０の中心に形成されている。
【００２１】
ここで図２を参照すると、ジョイスト／バッテン支持体または支持手段１００は全体が円形のプレート１１０を含む。バッテン支持体は、典型的には、プラスチック材料で成形されている。図３および５において最も良好に見られるとおり、４本の脚部１１２が、プレートの中心部１１１の下面に付属している。短い、径方向に延在する突出部１１４が各脚部の最下部に形成されている。これらの脚部は孔７０と同一のサイズの円の外周の周囲に配設されており、孔７０に脚部が挿入されると、この孔の壁によって突出部が最初は内方に撓み、次いで外方に撓んで孔の壁の下に係合することにより、脚部が孔７０にスナップ嵌めされて、バッテン支持体を架台ジャッキの上に固定し得る。
【００２２】
図２および４において最も良好に見られるとおり、２つの対向する直立壁１２０、１２２がプレートの中心部１１１の両側に配設されている。各壁は、４枚のバットレス１２４によって直立位置に支持されている。各壁は、徐々に高さを増していく略直線状の部分１２６と、一定の高さの多数の穴１２９も形成された湾曲部分１２８を含む。これらの穴は、ネジ、くぎ等などの締結具を受け得る。これらの穴は、バッテンにより支持されたジョイストの伸縮に適応するために水平方向に細長い。湾曲部分は、中心部１１１から見たときに全体が凸状であり、この中心部から逸れている。これらはプレートの中心部１１１を通過する想像線Ｄの反対側に配設されている。これらのラインは、破線で示される直線１２６の想像上の延長線Ｃから逸れるように湾曲している。この凸状／湾曲部分は、バットレス１２４の間に介在する３つのセクション１２８ａ、１２８ｂ、１２８ｃを含み、ここで、先端部分１２８ａは約２２０ｍｍ、中央部分が１５２ｍｍの半径を有し、プレートの中心に最も近い最内部分が１４０ｍｍの半径を有する。これらの寸法は変更可能である。一定の半径を有する湾曲部分を有することもまた可能であろう。凸状部分は、湾曲した壁ではなく一連の段状の平らなまたは直線部分を含んでいることが可能である。
【００２３】
図４において最も良好に見られるとおり、バッテン支持体は、プレートの中心について１８０°で回転対称である。
【００２４】
対向する壁の間に位置されて、プレートの表面に浅い窪みとして形成された、一連の、離間した平行な直線の対１３０、１３２、１３４と、プレートの中心の両側に２つの、略四角の貫通孔１３６とがまた図４に示されている。これらの孔は、設置者が架台ジャッキの勾配補正プレートの上面を見て、ジャッキが正しく配向されているかを確認することを可能とする。線１３０間の垂直距離は、ライン１３２間より広く、同様に、ライン１３４間よりも広い。
【００２５】
プレート１１０には、盛り上がった突起によって囲まれた２つの穴１２７ａ、１２７ｂが形成されており、これらの穴は、壁１２０、１２２にそれぞれ隣接して設けられている。これらの穴は、架台１０の補正プレート／ヘッド部分への、タッピンネジ等を用いた支持体の固定を可能とする。
【００２６】
使用においては、図４、６および７を参照すると、バッテン支持体は、図１に示されているように架台ジャッキの最上部に位置される。支持体は、ジャッキ上のその中心部１１１を中心に回転し得る。図６に示されているとおり、このプレートは、先ず、それと係合されるべきジョイスト２００が、壁１２６の直線部分の方向にほぼ配向されるよう回転され得る。ジョイスト２００がこの位置に位置合わせされると、壁１２０、１２２に対する接線間の垂直距離は最大であり、従って、ジョイスト／バッテン２００を収容するための最大の空間が存在する。一旦ジョイスト／バッテンが壁１２０、１２２の間に挿入されると、支持体１００は、ジョイストの長さ方向縁部がライン１３０、１３２および１３４に向かって動くように、その中心部について時計方向に回転される。これらのラインは、典型的な厚さのジョイスト（１３０は最も幅広のジョイスト用であり、１３４は最も狭幅用）用のガイド位置である。典型的には、ジョイストの幅は、ライン１３４間の垂直距離と、ライン１３２間の垂直距離との間のどこかであろう。プレートが時計回りに回転されると、ジョイストの側部が、図７に示されているとおり、壁の湾曲部分１２８に接触することとなる。バッテンは、壁にある孔１２９を通してくぎをジョイストに対して打ち込むことにより、ジョイストに固定されることが可能である。支持体１００は、穴１２７ａおよび１２７ｂを貫通するネジを用い架台に固定される。
【００２７】
図８および９は、図２から７のバッテン支持体１００の変形例３００を示す。これら２種の支持体間の差異は、支持体３００が、代替的なデザインの付属差口３０２を、付属脚部１１２の代わりに、架台ジャッキの勾配補正プレートとの係合のために有することのみである。支持体１００のものと共通の機構は、同一の参照符号によって参照されている。具体的には、支持体３００の付属差口３０２は、支持体のプレート１１０に平行な面に円形の断面を有する環状である。
【００２８】
図９を参照すると、勾配補正器３６０は、支持体１００の付属脚部１１２を収容するための貫通穴７０を有する代わりに、支持体３００の付属差口を収容するための円形の断面を有する環状チャネル３６２が形成されていること以外は、図１に示されている勾配補正器６０の変形例である。このチャネルは、チャネル内に進入し得る如何なる水もその下方の架台に流れることができないよう、ベース３６４を有する盲穴の形態である。このチャネル３６２は、差口がチャネル内で静合されるよう、付属差口３０２と実質的に同一のサイズ、形状および深さである。
【００２９】
架台ジャッキの最上部に位置されたバッテン支持体にジョイストを固定する背後関係において本発明を説明してきたが、本発明のバッテン支持体の主要部は、支持体とジョイストまたは他の細長い部材との係合が要求される他の分野においても用途を有し得ることが認識されるであろう。
【００３０】
広範に記載されている本発明の趣旨または範囲から逸脱することなく、特定の実施形態に示されている本発明に対して数多くの変形および／または変更を成し得ることは当業者によって認識されるであろう。本実施形態は、従って、すべての観点において、例示的であると共に、非制限的であるとしてみなされるべきである。
【図１】
2010518289.tif 000003
【図２】
2010518289.tif 000004
【図３】
2010518289.tif 000005
【図４】
2010518289.tif 000006
【図５】
2010518289.tif 000007
【図６】
2010518289.tif 000008
【図７】
2010518289.tif 000009
【図８】
2010518289.tif 000010
【図９】
2010518289.tif 000011
【国際調査報告】
2010518289.tif 000012
2010518289.tif 000013